(57)【要約】【課題】ペアリング処理を容易に行う。【解決手段】サーバ装置３とクライアント端末装置４とを備えるクライアント・サーバシステムにおいて、サーバ装置３は、ビデオレコーダの動作を制御する再生装置制御信号及びクライアント端末装置４とペアリングするためのペアリング情報を送信する信号送信部３２１を有するＩＲブラスタ３２を備え、クライアント端末装置４は、端末本体４１の外面から露出されるように設けられ、ＩＲブラスタ３２の信号送信部３２１から送信されるペアリング情報を受信する信号受信部４１１と、信号受信部４１１に信号送信部３２１を対向させるようにＩＲブラスタ３２を取り付けるためのＩＲブラスタ取付部４１７とを備えている。【選択図】図５
2007324693.tif 000002
【特許請求の範囲】
【請求項１】
各種情報を再生する再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置とを備えるクライアント・サーバシステムにおいて、
前記サーバ装置は、
前記再生装置の動作を制御する再生装置制御信号を送信する制御信号送信手段と、前記クライアント端末装置とペアリングするためのペアリング情報を送信するペアリング情報送信手段とを有する信号送信装置を備え、
前記クライアント端末装置は、
装置本体と、
前記装置本体の外面から露出されるように設けられ、前記ペアリング情報送信手段から送信される前記ペアリング情報を受信するペアリング情報受信手段と、
前記ペアリング情報受信部による前記ペアリング情報の受信に基づいて、当該ペアリング情報を用いて前記サーバ装置との間でペアリング処理を行うペアリング処理実行手段と、
前記装置本体の外面に設けられ、前記ペアリング情報受信手段に前記ペアリング情報送信手段を対向させるように前記信号送信装置を取り付けるための信号送信装置取付部とを備え、
前記信号送信装置取付部には、前記信号送信装置の筐体が係合する係合部が設けられ、
前記信号送信装置は、さらに、前記係合部に対する前記筐体の係合に基づいて前記信号送信装置取付部に取り付けられていることを検知して検知信号を出力する取付検知センサを備え、
前記サーバ装置は、さらに、
前記取付検知センサから出力された前記検知信号の入力に基づいて、前記ペアリング情報送信手段から前記ペアリング情報を送信させる送信手段制御手段を備えるか、
或いは、
前記信号送信装置は、さらに、
前記クライアント端末装置とのペアリングを解除するためのペアリング解除情報を送信するペアリング解除情報送信手段を有し、前記信号送信装置取付部に取り付けられることにより、前記ペアリング解除情報送信手段と前記ペアリング情報受信手段とが対向配置され、
前記係合部に対する前記筐体の係合に基づいて前記信号送信装置取付部に取り付けられていることを検知して検知信号を出力する取付検知センサを２つ備え、
前記サーバ装置は、さらに、
前記取付検知センサから出力された前記検知信号の入力に基づいて、当該検知信号を出力した前記取付検知センサの数に応じて、前記ペアリング情報送信手段から前記ペアリング情報を送信させる処理と前記ペアリング解除情報送信手段から前記ペアリング解除情報を送信させる処理とを切り替える送信処理切替制御手段を備えることを特徴とするクライアント・サーバシステム。
【請求項２】
各種情報を再生する再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置とを備えるクライアント・サーバシステムにおいて、
前記サーバ装置は、
前記再生装置の動作を制御する再生装置制御信号を送信する制御信号送信手段と、前記クライアント端末装置とペアリングするためのペアリング情報を送信するペアリング情報送信手段とを有する信号送信装置を備え、
前記クライアント端末装置は、
装置本体と、
前記装置本体の外面から露出されるように設けられ、前記ペアリング情報送信手段から送信される前記ペアリング情報を受信するペアリング情報受信手段と、
前記装置本体の外面に設けられ、前記ペアリング情報受信手段に前記ペアリング情報送信手段を対向させるように前記信号送信装置を取り付けるための信号送信装置取付部とを備えることを特徴とするクライアント・サーバシステム。
【請求項３】
前記信号送信装置取付部には、前記信号送信装置の筐体が係合する係合部が設けられ、
前記信号送信装置は、前記係合部に対する前記筐体の係合に基づいて前記信号送信装置取付部に取り付けられていることを検知して検知信号を出力する取付検知センサを備え、
前記サーバ装置は、
前記取付検知センサから出力された前記検知信号の入力に基づいて、前記ペアリング情報送信手段から前記ペアリング情報を送信させる送信手段制御手段を備えることを特徴とする請求項２に記載のクライアント・サーバシステム。
【請求項４】
前記クライアント端末装置は、
前記ペアリング情報受信部による前記ペアリング情報の受信に基づいて、当該ペアリング情報を用いて前記サーバ装置との間でペアリング処理を行うペアリング処理実行手段を備えることを特徴とする請求項２又は３に記載のクライアント・サーバシステム。
【請求項５】
前記信号送信装置は、前記クライアント端末装置とのペアリングを解除するためのペアリング解除情報を送信するペアリング解除情報送信手段を有し、前記信号送信装置取付部に取り付けられることにより、前記ペアリング解除情報送信手段と前記ペアリング情報受信手段とが対向配置され、
前記信号送信装置取付部には、前記信号送信装置の筐体が係合する係合部が設けられ、
前記信号送信装置は、さらに、前記係合部に対する前記筐体の係合に基づいて前記信号送信装置取付部に取り付けられていることを検知して検知信号を出力する取付検知センサを２つ備え、
前記サーバ装置は、
前記取付検知センサから出力された前記検知信号の入力に基づいて、当該検知信号を出力した前記取付検知センサの数に応じて、前記ペアリング情報送信手段から前記ペアリング情報を送信させる処理と前記ペアリング解除情報送信手段から前記ペアリング解除情報を送信させる処理とを切り替える送信処理切替制御手段を備えることを特徴とする請求項２に記載のクライアント・サーバシステム。
【発明の詳細な説明】
【技術分野】
【０００１】
本発明は、クライアント端末装置とサーバ装置とが無線ＬＡＮにより通信を行うクライアント・サーバシステムに関する。
【背景技術】
【０００２】
従来、ビデオレコーダ、ＤＶＤ（Digital Versatile Disk）プレイヤ、オーディオ装置等のＡＶ機器（再生装置）が接続されたサーバ装置と、ＴＶ装置が接続されたクライアント端末装置とが無線ＬＡＮ等を介して接続されたクライアント・サーバシステムが知られている。
このシステムにあっては、サーバ装置は、クライアント端末装置から送信され受信した所定の再生装置制御信号に従って各種ＡＶ機器を制御して、当該ＡＶ機器から再生される各種情報をＴＶ装置にて表示等させるためクライアント端末装置に伝送するようになっている。
【０００３】
サーバ装置によるＡＶ機器の動作制御は、例えば、サーバ装置にＩＲブラスタを設け、クライアント端末装置からの再生装置制御信号をＡＶ機器に対応する所定の動作制御信号に変換して赤外線で出力することにより、ＡＶ機器を制御するシステムが知られている（例えば、特許文献１及び特許文献２参照）。
【特許文献１】特開２００５−２０６２４号公報
【特許文献２】特開２００３−１５３０３１号公報
【発明の開示】
【発明が解決しようとする課題】
【０００４】
ところで、クライアント・サーバシステムにあっては、無線通信相手を特定するためにサーバ装置とクライアント端末装置との間で予めペアリングを行うようになっている。
このペアリングにおいて、特許文献１や特許文献２等におけるＩＲブラスタを用いるものが開発されているが、クライアント端末装置の受光部に対して発光部を対向させるようにＩＲブラスタが配置されていないとペアリングを適正に行うことができないといった問題がある。即ち、ユーザは、ＩＲブラスタの発光部やクライアント端末装置の受光部の位置や向き等を正確に把握する必要があるが、その作業は容易ではなく、特に、近年の意匠性に優れるものにあっては、発光部や受光部の位置やその向きの把握が容易ではないといった問題がある。
さらに、ペアリングにあっては、受光部に対するＩＲブラスタの発光部の対向配置、ペアリング実行指示スイッチ等の操作といった複数の作業を所定時間内に行う必要があることから、ユーザにとって大きな負担を強いるといった問題もある。
【０００５】
そこで、本発明の課題は、ペアリング処理を容易に行うことができるクライアント・サーバシステムを提供することである。
【課題を解決するための手段】
【０００６】
上記課題を解決するため、請求項１に記載の発明は、
各種情報を再生する再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置とを備えるクライアント・サーバシステムにおいて、
前記サーバ装置は、
前記再生装置の動作を制御する再生装置制御信号を送信する制御信号送信手段と、前記クライアント端末装置とペアリングするためのペアリング情報を送信するペアリング情報送信手段とを有する信号送信装置を備え、
前記クライアント端末装置は、
装置本体と、
前記装置本体の外面から露出されるように設けられ、前記ペアリング情報送信手段から送信される前記ペアリング情報を受信するペアリング情報受信手段と、
前記ペアリング情報受信部による前記ペアリング情報の受信に基づいて、当該ペアリング情報を用いて前記サーバ装置との間でペアリング処理を行うペアリング処理実行手段と、
前記装置本体の外面に設けられ、前記ペアリング情報受信手段に前記ペアリング情報送信手段を対向させるように前記信号送信装置を取り付けるための信号送信装置取付部とを備え、
前記信号送信装置取付部には、前記信号送信装置の筐体が係合する係合部が設けられ、
前記信号送信装置は、さらに、前記係合部に対する前記筐体の係合に基づいて前記信号送信装置取付部に取り付けられていることを検知して検知信号を出力する取付検知センサを備え、
前記サーバ装置は、さらに、
前記取付検知センサから出力された前記検知信号の入力に基づいて、前記ペアリング情報送信手段から前記ペアリング情報を送信させる送信手段制御手段を備えるか、
或いは、
前記信号送信装置は、さらに、
前記クライアント端末装置とのペアリングを解除するためのペアリング解除情報を送信するペアリング解除情報送信手段を有し、前記信号送信装置取付部に取り付けられることにより、前記ペアリング解除情報送信手段と前記ペアリング情報受信手段とが対向配置され、
前記係合部に対する前記筐体の係合に基づいて前記信号送信装置取付部に取り付けられていることを検知して検知信号を出力する取付検知センサを２つ備え、
前記サーバ装置は、さらに、
前記取付検知センサから出力された前記検知信号の入力に基づいて、当該検知信号を出力した前記取付検知センサの数に応じて、前記ペアリング情報送信手段から前記ペアリング情報を送信させる処理と前記ペアリング解除情報送信手段から前記ペアリング解除情報を送信させる処理とを切り替える送信処理切替制御手段を備えることを特徴としている。
【０００７】
請求項２に記載の発明は、
各種情報を再生する再生装置と接続され、当該再生装置により再生される情報を送信する再生情報送信手段を有するサーバ装置と、前記サーバ装置と無線通信回線を介して接続され、前記再生情報送信手段から送信された情報を受信する再生情報受信手段を有するクライアント端末装置とを備えるクライアント・サーバシステムにおいて、
前記サーバ装置は、
前記再生装置の動作を制御する再生装置制御信号を送信する制御信号送信手段と、前記クライアント端末装置とペアリングするためのペアリング情報を送信するペアリング情報送信手段とを有する信号送信装置を備え、
前記クライアント端末装置は、
装置本体と、
前記装置本体の外面から露出されるように設けられ、前記ペアリング情報送信手段から送信される前記ペアリング情報を受信するペアリング情報受信手段と、
前記装置本体の外面に設けられ、前記ペアリング情報受信手段に前記ペアリング情報送信手段を対向させるように前記信号送信装置を取り付けるための信号送信装置取付部とを備えることを特徴としている。
【０００８】
請求項３に記載の発明は、請求項２に記載のクライアント・サーバシステムにおいて、
前記信号送信装置取付部には、前記信号送信装置の筐体が係合する係合部が設けられ、
前記信号送信装置は、前記係合部に対する前記筐体の係合に基づいて前記信号送信装置取付部に取り付けられていることを検知して検知信号を出力する取付検知センサを備え、
前記サーバ装置は、
前記取付検知センサから出力された前記検知信号の入力に基づいて、前記ペアリング情報送信手段から前記ペアリング情報を送信させる送信手段制御手段を備えることを特徴としている。
【０００９】
請求項４に記載の発明は、請求項２又は３に記載のクライアント・サーバシステムにおいて、
前記クライアント端末装置は、
前記ペアリング情報受信部による前記ペアリング情報の受信に基づいて、当該ペアリング情報を用いて前記サーバ装置との間でペアリング処理を行うペアリング処理実行手段を備えることを特徴としている。
【００１０】
請求項５に記載の発明は、請求項２に記載のクライアント・サーバシステムにおいて、
前記信号送信装置は、前記クライアント端末装置とのペアリングを解除するためのペアリング解除情報を送信するペアリング解除情報送信手段を有し、前記信号送信装置取付部に取り付けられることにより、前記ペアリング解除情報送信手段と前記ペアリング情報受信手段とが対向配置され、
前記信号送信装置取付部には、前記信号送信装置の筐体が係合する係合部が設けられ、
前記信号送信装置は、さらに、前記係合部に対する前記筐体の係合に基づいて前記信号送信装置取付部に取り付けられていることを検知して検知信号を出力する取付検知センサを２つ備え、
前記サーバ装置は、
前記取付検知センサから出力された前記検知信号の入力に基づいて、当該検知信号を出力した前記取付検知センサの数に応じて、前記ペアリング情報送信手段から前記ペアリング情報を送信させる処理と前記ペアリング解除情報送信手段から前記ペアリング解除情報を送信させる処理とを切り替える送信処理切替制御手段を備えることを特徴としている。
【発明の効果】
【００１１】
請求項１に記載の発明によれば、信号送信装置を用いてペアリング処理を行う場合に、信号送信装置取付部に信号送信装置を取り付けるだけで当該信号送信装置のペアリング情報送信手段とペアリング情報受信手段とを対向させることができるので、ユーザによる信号送信装置の取付作業を簡便なものとすることができる。ここで、信号送信装置取付部の係合部に信号送信装置の筐体を係合させるだけで、サーバ装置はクライアント端末装置にペアリング情報を送信させることができる。
従って、ペアリング処理をより容易に行うことができる。
また、クライアント端末装置は、送信されたペアリング情報の受信に基づいてペアリング処理を自動的に行うことができ、ペアリング処理のより容易化を図ることができる。
また、検知信号を出力する取付検知センサの数に応じて、ペアリング情報を送信させる処理とペアリング解除情報を送信させる処理とを容易に切り替えることができ、より操作性の良い魅力的なクライアント・サーバシステムを提供することができる。
【００１２】
請求項２に記載の発明によれば、信号送信装置を用いてペアリング処理を行う場合に、信号送信装置取付部に信号送信装置を取り付けるだけで当該信号送信装置のペアリング情報送信手段とペアリング情報受信手段とを対向させることができるので、ユーザによる信号送信装置の取付作業を簡便なものとすることができ、これにより、ペアリング処理を容易に行うことができる。
【００１３】
請求項３に記載の発明によれば、請求項２に記載の発明と同様の効果が得られるのは無論のこと、特に、信号送信装置取付部の係合部に信号送信装置の筐体を係合させるだけで、サーバ装置はクライアント端末装置にペアリング情報を送信させることができるので、ペアリング処理をより容易に行うことができる。
【００１４】
請求項４に記載の発明によれば、請求項２又は３に記載の発明と同様の効果が得られるのは無論のこと、特に、クライアント端末装置は、送信されたペアリング情報の受信に基づいてペアリング処理を自動的に行うことができ、ペアリング処理のより容易化を図ることができる。
【００１５】
請求項５に記載の発明によれば、請求項２に記載の発明と同様の効果が得られるのは無論のこと、特に、検知信号を出力する取付検知センサの数に応じて、ペアリング情報を送信させる処理とペアリング解除情報を送信させる処理とを容易に切り替えることができ、より操作性の良い魅力的なクライアント・サーバシステムを提供することができる。
【発明を実施するための最良の形態】
【００１６】
以下に、本発明について、図面を用いて具体的な態様を説明する。ただし、発明の範囲は、図示例に限定されない。
図１は、本発明を適用した好適な一実施形態として例示するクライアント・サーバシステム１００の全体構成を模式的に示した図である。
図１に示すように、本実施形態のクライアント・サーバシステム１００は、例えば、テレビジョン（ＴＶ）装置１が接続されたビデオレコーダ２と、このビデオレコーダ２が接続されたサーバ装置３と、このサーバ装置３と無線ネットワークＮを介して情報通信可能に接続され、サーバ装置３から送信された各種情報を受信するクライアント端末装置４と、このクライアント端末装置４と接続され、クライアント端末装置４にて受信された各種情報を出力するＴＶ装置５等から構成されている。
【００１７】
無線ネットワークＮは、例えば、Bluetooth規格やIEEE（Institute of Electrical and Electronic Engineers）802.11規格に準じた無線ＬＡＮ（Local Area Network）などのネットワークである。
【００１８】
次に、ビデオレコーダ２について図２を参照して説明する。図２は、ビデオレコーダ２の要部構成を示すブロック図である。
ビデオレコーダ２は、例えば、所定の記録媒体に画像情報や音情報等からなるＡＶ情報を記録して、当該ＡＶ情報をＴＶ装置１やサーバ装置３等に出力する再生装置を構成している。具体的には、ビデオレコーダ２は、例えば、図２に示すように、レコーダ本体２１と、このレコーダ本体２１を遠隔操作するためのリモートコントロール装置２２（以下、「リモコン２２」と言う。）等を備えて構成されている。
なお、ビデオレコーダ２は、下記に説明する以外の点は、一般的な構成をなすものであり、その詳細な説明については省略するものとする。
【００１９】
レコーダ本体２１は、例えば、その外面から露出されるように前面に配設され、リモコン２２やサーバ装置３のＩＲブラスタ３２（後述）から送信された再生装置制御信号（赤外線）を受信する信号受信部２１ａを備えている。
【００２０】
また、レコーダ本体２１は、例えば、ＴＶ装置１及びサーバ装置３と所定の信号送信ケーブルを介して接続され、各種ＡＶ情報をＴＶ装置１やサーバ装置３に対して出力するようになっている。
【００２１】
なお、テレビジョン（ＴＶ）装置１は、例えば、ビデオレコーダ２と同様に居間に配置されている。また、ＴＶ装置１は、例えば、ビデオレコーダ２から出力され入力されたＡＶ情報に基づいて、所定の画像や音を出力する一般的な構成をなすものであり、その詳細な説明については省略するものとする。
【００２２】
次に、サーバ装置３について図２及び図３を参照して説明する。
図２は、クライアント・サーバシステム１００を構成するサーバ装置３の要部構成を示すブロック図であり、図３は、サーバ装置３に備わるＩＲブラスタ３２を示す斜視図である。
【００２３】
サーバ装置３は、例えば、居間に配置され、クライアント端末装置４から送信される指示信号に応じた再生装置制御信号をビデオレコーダ２に対して送信し、再生装置制御信号に従ってビデオレコーダ２から出力されるＡＶ情報をクライアント端末装置４に伝送するものである。
具体的には、サーバ装置３は、例えば、図４及び図５に示すように、サーバ装置本体３１と、ビデオレコーダ２の所定位置にセットされるＩＲブラスタ３２等を備えて構成されている。
【００２４】
サーバ装置本体３１は、例えば、情報入力部３１１と、エンコーダ３１２と、無線通信部３１３と、操作部３１４と、制御部３１５等を備えて構成されている。
【００２５】
情報入力部３１１は、例えば、ビデオレコーダ２の出力端子（図示略）と接続される入力端子（図示略）を備え、当該入力端子を介してビデオレコーダ２から出力されるＡＶ情報が入力されるものである。
【００２６】
エンコーダ３１２は、例えば、情報入力部３１１を介してビデオレコーダ２からサーバ装置３に入力される画像情報や音情報等のＡＶ情報を、所定のファイル形式の圧縮ＡＶ情報にエンコードするものである。具体的には、エンコーダ３１２は、例えば、ビデオレコーダ２からサーバ装置３に入力される画像情報のうち、動画像情報をＭＰＥＧ−２（Moving Picture Experts Group phase 2）形式などの圧縮画像情報にエンコードしたり、静止画像情報をＪＰＥＧ（Joint Photographic Experts Group）形式などの圧縮画像情報にエンコードするようになっている。
【００２７】
無線通信部３１３は、例えば、無線ネットワークＮを介してクライアント端末装置４との間で各種情報の送受信を行うものであり、クライアント端末装置４との間で無線信号の送受信を行うためのアンテナ３１３ａやＲＦ変換器（図示省略）、Bluetooth規格やIEEE802.11規格に準じた無線ＬＡＮに接続するための無線ＬＡＮカード（図示省略）などを備えている。
また、無線通信部３１３は、再生情報送信手段として、例えば、エンコーダ３１２によりエンコードされた圧縮ＡＶ情報等をクライアント端末装置４の無線通信部４１２に送信するようになっている。
【００２８】
操作部３１４は、例えば、サーバ装置３による各種動作の実行を指示する操作スイッチを備えている。具体的には、操作部３１４には、例えば、当該サーバ装置３の電源のＯＮ／ＯＦＦ操作を行うための電源スイッチ３１４ａを備えている。
【００２９】
制御部３１５は、例えば、各部を統括的に制御するものであり、具体的には、ＣＰＵ３１５ａと、ＣＰＵ３１５ａにより実行される動作プログラムを固定的に記憶したＲＯＭ３１５ｂと、ワークメモリとして使用されるＲＡＭ３１５ｃ等により構成されている。
【００３０】
ＲＯＭ３１５ｂには、例えば、ペアリング情報送信制御プログラムｂ１等が記憶されている。
ペアリング情報送信制御プログラムｂ１は、例えば、電源スイッチ３１４ａのＯＮ操作に基づいて、当該ＲＯＭ３１５ｂに記憶されているペアリング情報をＩＲブラスタ３２の信号送信部３２１から送信させるペアリング情報送信処理に係る機能をＣＰＵ３１５ａに実現させるためのプログラムである。
ここで、制御部３１５のＣＰＵ３１５ａは、信号送信部３２１と協働してペアリング情報送信手段を構成している。
【００３１】
また、ペアリング情報は、例えば、サーバ装置３とクライアント端末装置４にて識別情報を共有（ペアリング）するために必要な各種情報のことであり、具体的には、無線ネットワークＮを識別するための識別子（ＳＳＩＤ等）や通信データを暗号化・復号化するための暗号鍵等が含まれている。
【００３２】
ＩＲブラスタ３２は、例えば、サーバ装置本体３１と所定のケーブルＣを介して接続され、レコーダ本体２１の信号受信部２１ａに対して効率良く赤外線を送信することができる位置、具体的には、信号受信部２１ａの略直上に配置されるものである。
【００３３】
また、ＩＲブラスタ３２は、例えば、図３等に示すように、ケーブルＣが接続され、略直方体状をなす直方体部２１０と、この直方体部２１０のケーブルＣと反対側に設けられ、信号送信部３２１が設けられた信号送信部配設部２２０等を有する筐体２００を備えている。
直方体部２１０には、例えば、レコーダ本体２１の一面（上面等）に当接される当接面２１１が設けられている。
信号送信部配設部２２０には、例えば、当接面２１１の先端から当接面２１１と反対側に斜め下向きに延出され傾斜面部２２１が設けられ、この傾斜面部２２１に信号送信部３２１が配設されている。
【００３４】
信号送信部３２１は、例えば、サーバ装置本体３１から送られてくる再生装置制御信号を赤外線により送信するＬＥＤ等を備えている。
そして、ＩＲブラスタ３２が当接面２１１をレコーダ本体２１の一面に当接させるようにして取り付けられた状態で、レコーダ本体２１の信号受信部２１ａに対して信号送信部３２１が対向配置されるようになっている（図３参照）。
【００３５】
次に、クライアント端末装置４について図４を参照して説明する。図４は、クライアント端末装置４の要部構成を示すブロック図である。
クライアント端末装置４は、例えば、寝室に配置され、ビデオレコーダ２に記録されているＡＶ情報の再生に係る指示信号をサーバ装置３に送信し、また、再生を指示する指示信号に従ってサーバ装置３から伝送されるＡＶ情報をＴＶ装置５に出力するものである。具体的には、クライアント端末装置４は、例えば、図４に示すように、端末本体４１と、この端末本体４１を遠隔操作するためのリモコン４２等を備えて構成されている。
【００３６】
リモコン４２は、例えば、図示しない操作部の所定操作に応じた操作信号を赤外線により送信する信号送信装置４２１を備えている。
【００３７】
端末本体４１は、例えば、信号受信部４１１と、無線通信部４１２と、バッファ４１３と、デコーダ４１４と、情報出力部４１５と、制御部４１６と、ＩＲブラスタ取付部４１７等を備えて構成されている。
【００３８】
信号受信部４１１は、例えば、端末本体４１の前面（外面）４０１ｂから露出されるように配設され、リモコン４２の信号送信装置４２２から送信された操作信号（赤外線）を受信するものである。
また、信号受信部は、ペアリング情報受信手段として、例えば、クライアント・サーバシステム１００におけるペアリング処理（図５参照）にてＩＲブラスタ３２から送信されるペアリング情報を受信するようになっている。
【００３９】
ＩＲブラスタ取付部４１７は、例えば、ペアリング処理にてＩＲブラスタ３２が取り付けられるようになっている。
以下に、ＩＲブラスタ取付部４１７について図５〜図７を参照して説明する。
図５は、ペアリング処理状態におけるサーバ装置３及びクライアント端末装置４を模式的に示した図である。また、図６は、図５の状態におけるクライアント端末装置４を拡大して示す斜視図であり、図７は、クライアント端末装置４のＩＲブラスタ取付部４１７を拡大して示す斜視図である。
【００４０】
先ず、ペアリング処理は、例えば、サーバ装置３とクライアント端末装置４との間の無線ネットワークＮを構築する際に、当該無線ネットワークＮに接続される無線通信相手を特定するために行う処理であり、具体的には、図５及び図６等に示すように、サーバ装置３のＩＲブラスタ３２の信号送信部３２１をクライアント端末装置４の信号受信部４１１に対向配置させた状態で行うようになっている。
【００４１】
ＩＲブラスタ取付部（信号送信装置取付部）４１７は、例えば、端末本体４１の筐体４０１の側面部４０１ａの前面４０１ｂ側に信号受信部４１１と略同じ高さとなるように設けられ、ＩＲブラスタ３２の直方体部２１０が係合する係合部７１と、この係合部７１の前面４０１ｂ側と反対側に連続して設けられ、ケーブルＣが配されるケーブル配設部７２等を備えている。
【００４２】
係合部７１は、例えば、側面部４０１ａの表面から所定の深さ凹み、前後方向に長尺な略直方体状に形成され、ＩＲブラスタ３２が押し込まれることで取り付けられるようになっている。
また、係合部７１の両内側面部７１１、７１１の所定位置（例えば、片側につき２カ所）には、ＩＲブラスタ３２の外側面部に当接して当該ＩＲブラスタ３２を保持する保持部７１２が内側に突出するようにして形成されている。
【００４３】
ケーブル配設部７２は、例えば、平面視にて略三角形状に形成され、その直方体部２１０と反対側となる頂点側ほど深さが浅くなっている。
【００４４】
無線通信部４１２は、例えば、無線ネットワークＮを介して、サーバ装置３との間で各種情報の送受信を行うものであり、サーバ装置３の無線通信部３１３と略同様の構成をなしている。即ち、無線通信部４１２は、サーバ装置３との間で無線信号の送受信を行うためのアンテナ４１２ａやＲＦ（Radio Frequency）変換器（図示省略）、Bluetooth規格やIEEE802.11規格に準じた無線ＬＡＮに接続するための無線ＬＡＮカード（図示省略）等を備えている。
また、無線通信部４１２は、再生情報受信手段として、例えば、送信した再生を指示する指示信号に基づいてビデオレコーダ２から取得されてサーバ装置３の無線通信部３１３から送信されたＡＶ情報（圧縮ＡＶ情報）を受信するようになっている。
【００４５】
バッファ４１３は、例えば、サーバ装置３から送信され、無線通信部４１２により受信したＡＶ情報（圧縮ＡＶ情報）を一時的に記憶するものである。
【００４６】
デコーダ４１４は、例えば、バッファ４１３に記憶された圧縮ＡＶ情報に対して当該圧縮ＡＶ情報のファイル形式に応じた処理を施し、当該圧縮ＡＶ情報をＡＶ情報にデコードするものである。
【００４７】
情報出力部４１５は、例えば、ＴＶ装置５の入力端子（図示略）と接続される出力端子（図示略）を備え、制御部４１５の制御下にて、デコーダ４１４によりデコードされたＡＶ情報をＴＶ装置５に対して出力するものである。
【００４８】
制御部４１６は、例えば、各部を統括的に制御するものであり、具体的には、ＣＰＵ４１６ａと、ＣＰＵ４１６ａにより実行される動作プログラムを固定的に記憶したＲＯＭ４１６ｂと、ワークメモリとして使用されるＲＡＭ４１６ｃ等により構成されている。
【００４９】
ＲＯＭ４１６ｂには、例えば、ペアリング処理実行プログラムｐ１等が記憶されている。
ペアリング処理実行プログラムｐ１は、ＣＰＵ４１６ａをペアリング処理実行手段として機能させるものである。即ち、ペアリング処理実行プログラムｐ１は、例えば、信号受信部４１１によるペアリング情報の受信に基づいて、当該ペアリング情報を用いてサーバ装置３との間でペアリング処理を行うペアリング処理実行処理に係る機能をＣＰＵ４１６ａに実現させるためのプログラムである。
【００５０】
なお、テレビジョン（ＴＶ）装置５は、例えば、クライアント端末装置４と同様に寝室に配設され、当該クライアント端末装置４と有線接続されている。また、ＴＶ装置５は、例えば、クライアント端末装置４から出力され入力されたＡＶ情報に基づいて、所定の画像や音を出力する一般的な構成をなすものであり、その詳細な説明については省略するものとする。
【００５１】
次に、ペアリング処理について説明する。
先ず、サーバ装置３のＩＲブラスタ３２をクライアント端末装置４のＩＲブラスタ取付部４１７に取り付ける。具体的には、ＩＲブラスタ取付部４１７の係合部７１にＩＲブラスタ３２の直方体部２１０を係合させるようにして当該ＩＲブラスタ３２をクライアント端末装置４に取り付ける。
これにより、ＩＲブラスタ３２の信号送信部３２１とクライアント端末装置４の信号受信部４１１とが対向配置された状態となる（図６参照）。
【００５２】
次に、ユーザによるサーバ装置３の操作部３１４の電源スイッチ３１４ａの所定操作に基づいて当該サーバ装置３の電源を入れると、サーバ装置３のＣＰＵ３１５ａは、ペアリング情報送信制御プログラムｂ１の実行に基づいて、ＲＯＭ３１５ｂに記憶されているペアリング情報をＩＲブラスタ３２の信号送信部３２１から送信させるペアリング情報送信処理を行う。
クライアント端末装置４にあっては、信号受信部４１１を介してサーバ装置３から送信されたペアリング情報を受信すると、ＣＰＵ４１６ａは、ペアリング処理実行プログラムｐ１の実行に基づいて、受信したペアリング情報を用いてサーバ装置３との間でペアリング処理を自動的に行うペアリング処理実行処理を行う。
これにより、クライアント・サーバシステム１００のサーバ装置３とクライアント端末装置４とがペアリングされた状態となる。
【００５３】
以上のように、本実施形態のクライアント・サーバシステム１００によれば、ＩＲブラスタ３２を用いてペアリング処理を行う場合に、ＩＲブラスタ取付部４１７にＩＲブラスタ３２を取り付けるだけで当該ＩＲブラスタ３２の信号送信部３２１と信号受信部４１１とを対向させることができるので、ユーザによるＩＲブラスタ３２の取付作業を簡便なものとすることができる。即ち、ＩＲブラスタ３２の信号送信部３２１やクライアント端末装置３の信号受信部４１１の位置や向き等を正確に把握する必要がなくなり、特に、近年の意匠性に優れ、信号送信部３２１や信号受信部４１１の位置やその向きの把握が困難なものであっても、ＩＲブラスタ取付部４１７にＩＲブラスタ３２を取り付けるだけで当該ＩＲブラスタ３２の信号送信部３２１と信号受信部４１１とを適正に対向させることができることとなる。
また、クライアント端末装置４にあっては、ＩＲブラスタ３２から送信されたペアリング情報の受信に基づいてペアリング処理を自動的に行うことができる。
従って、ペアリング処理を容易に行うことができる。
【００５４】
なお、本発明は、上記実施形態に限定されることなく、本発明の趣旨を逸脱しない範囲において、種々の改良並びに設計の変更を行っても良い。
以下に、クライアント・サーバシステムの変形例について適宜図面を参照して説明する。
【００５５】
＜変形例１＞
変形例１のクライアント・サーバシステムを構成するクライアント端末装置１０４は、例えば、図８に示すように、ＩＲブラスタ取付部４１７が端末本体４１の上面４０１ｃに設けられている。即ち、上記実施形態１では、ＩＲブラスタ取付部４１７を端末本体４１の側面部４０１ａに設けるようにしたが、ＩＲブラスタ取付部４１７の位置はこれに限られるものではなく、ＩＲブラスタ３２の信号送信部３２１が信号受信部４１１に対向配置される位置であれば如何なる位置であっても良い。
【００５６】
＜変形例２＞
変形例２のクライアント・サーバシステムを構成するサーバ装置２０３は、例えば、図９及び図１０に示すように、ＩＲブラスタ取付部４１７に対する取付状態を検知する取付検知センサ３２２を搭載したＩＲブラスタ２３２を備え、取付検知センサ３２２による検知結果に基づいて、信号送信部３２１からペアリング情報を送信させるようになっている。
【００５７】
即ち、クライアント端末装置２０４のＩＲブラスタ取付部４１７の内側面部７１１に連続する取付面７１３の所定位置には、例えば、図１１に示すように、当該取付面７１３から突設された凸部７１３ａが設けられている。
また、ＩＲブラスタ２３２の当接面２１１には、例えば、図１０に示すように、係合部７１に対する直方体部２１０の係合に基づいて、取付面７１３の凸部７１３ａにより押圧されることで当該ＩＲブラスタ取付部４１７に取り付けられていることを検知する接触式の取付検知センサ３２２が設けられている。
この取付検知センサ３２２は、例えば、凸部７１３ａにより押圧されると、所定の検知信号をサーバ装置３本体に出力するようになっている。
また、サーバ装置３にあっては、検知信号の入力に基づいて、ＣＰＵ３１５ａは、ペアリング情報送信制御プログラムｂ１の実行に基づいて、信号送信部３２１からペアリング情報を送信させるようになっている。
【００５８】
従って、変形例２のクライアント・サーバシステムによれば、ＩＲブラスタ取付部４１７にＩＲブラスタ３３２が取り付けられるだけでペアリング処理を実行することができる。これにより、上記実施形態のように、ペアリング処理の実行指示を電源スイッチ３１４ａの所定操作と共通化させる必要がなくなり、より操作性の良い魅力的なクライアント・サーバシステムを提供することができる。
【００５９】
＜変形例３＞
変形例３のクライアント・サーバシステムは、例えば、サーバ装置３０３とクライアント端末装置３０４とのペアリングを解除する処理を実行することができるものである。
【００６０】
ＩＲブラスタ３３２の当接面２１１には、例えば、図１３に示すように、係合部７１に対する直方体部２１０の係合に基づいて、取付面７１３に形成された所定の凸部７１３ａにより押圧されることで当該ＩＲブラスタ取付部４１７に取り付けられていることを検知する接触式の取付検知センサ３２２Ａ、３２２Ｂが２つ設けられている。即ち、ＩＲブラスタ取付部４１７の取付面７１３の所定位置には、例えば、図１４に示すように、当該取付面７１３から突設された凸部７１３ａ、７１３ａが２つ設けられている。そして、ＩＲブラスタ３３２の当接面２１１には、当該凸部７１３ａの各々に対応させて凸部７１３ａの間隔と略等しい間隔を空けて、取付検知センサ３２２Ａ、３２２Ｂが設けられている。
【００６１】
ＲＯＭ３１５ｂには、クライアント端末装置３０４とのペアリングを解除するためのペアリング解除情報をサーバ装置３０３のＩＲブラスタ３２の信号送信部３２１から送信させるペアリング解除処理に係る機能をＣＰＵ３１５ａに実現させるためのペアリング解除情報送信制御プログラムｂ２が記憶されている。
ここで、ＣＰＵ３１５ａは、信号送信部３２１と協働してペアリング解除情報送信手段を構成している。
【００６２】
また、ＲＯＭ３１５ｂには、取付検知センサ３２２Ａ、３２２Ｂから出力された検知信号の入力に基づいて、当該検知信号を出力した取付検知センサ３２２Ａ、３２２Ｂの数に応じて、信号送信部３２１からペアリング情報を送信させるペアリング情報送信処理とペアリング解除情報を送信させるペアリング解除情報送信処理とを切り替える送信処理切替制御処理に係る機能をＣＰＵ３１５ａに実現させるための切替制御プログラムｂ３が記憶されている。
即ち、サーバ装置３０３は、ＩＲブラスタ取付部４１７に対するＩＲブラスタ３２の取付位置に応じて検知信号を出力する取付検知センサ３２２Ａ、３２２Ｂの数が異なり、例えば、２つの取付検知センサ３２２Ａ、３２２Ｂの両方が検知信号を出力する位置にＩＲブラスタ３３２を取り付けた場合（図１５（ａ）参照）、ＣＰＵ３１５ａは、切替制御プログラムｂ３の実行に基づいて、ペアリング情報送信処理を実行させるように切り替える処理を行う。一方、２つの取付検知センサ３２２Ａ、３２２Ｂの何れか一方（例えば、取付検知センサ３２２Ａ）が検知信号を出力する位置にＩＲブラスタ３３２を取り付けた場合（図１５（ｂ）参照）、ＣＰＵ３１５ａは、切替制御プログラムｂ３の実行に基づいて、ペアリング解除情報送信処理を実行させるように切り替える処理を行う。
【００６３】
従って、変形例３のクライアント・サーバシステムによれば、ＩＲブラスタ３３２の取付位置を変更するだけでペアリング情報送信処理とペアリング解除情報送信処理とを容易に切り替えることができるので、より操作性の良い魅力的なクライアント・サーバシステムを提供することができる。
【００６４】
また、上記変形例３にあっては、ＩＲブラスタ３３２の信号送信部３２１として、ペアリング情報を送信するＬＥＤとペアリング解除情報を送信するＬＥＤとを共有するようにしたが、これに限られるものではなく、例えば、各情報を送信するＬＥＤを別々に搭載するようにしても良い。
【００６５】
さらに、上記変形例２及び変形例３にあっては、接触方式の取付検知センサ３２２を例示したが、これに限られるものではなく、例えば、非接触方式によりＩＲブラスタ２３２、３３２の取付けを検知する構成のものであっても良い。
【００６６】
なお、上記実施形態にあっては、例えば、サーバ装置３とクライアント端末装置４との間で新たな無線ネットワークＮを構築する際に、変形例３のクライアント・サーバシステムのように、必ずしもペアリングの解除を行ってから再度ペアリング情報を送信する必要はない。例えば、サーバ装置３から新たなペアリング情報がクライアント端末装置４に送信された場合には、既に記憶されているペアリング情報に上書きして更新するようにしても良い。
【００６７】
さらに、上記実施形態では、再生装置として、ビデオレコーダ２を例示したが、これに限られるものではなく、例えば、ＢＳ放送やＣＳ放送のチューナ、ＳＴＢ（Set Top Box）、ＣＤプレイヤ、ＤＶＤプレイヤ、オーディオ装置等の少なくとも所定情報の再生機能を有するものならば如何なるものであっても良い。
【図面の簡単な説明】
【００６８】
【図１】本発明を適用した好適な一実施形態として例示するクライアント・サーバシステムの全体構成を模式的に示した図である。
【図２】図１のクライアント・サーバシステムを構成するサーバ装置の要部構成を示すブロック図である。
【図３】図２のサーバ装置に備わるＩＲブラスタを示す斜視図である。
【図４】図１のクライアント・サーバシステムを構成するクライアント端末装置の要部構成を示すブロック図である。
【図５】図１のクライアント・サーバシステムを構成するサーバ装置及びクライアント端末装置を模式的に示した図である。
【図６】図４のクライアント端末装置を示す斜視図である。
【図７】図４のクライアント端末装置のＩＲブラスタ取付部を示す斜視図である。
【図８】変形例１のクライアント・サーバシステムに備わるクライアント端末装置に対するＩＲブラスタの取付状態を示す側面図である。
【図９】変形例２のクライアント・サーバシステムに備わるサーバ装置の要部構成を示すブロック図である。
【図１０】図９のサーバ装置のＩＲブラスタを示す斜視図である。
【図１１】変形例２のクライアント・サーバシステムに備わるクライアント端末装置のＩＲブラスタ取付部を示す斜視図である。
【図１２】変形例３のクライアント・サーバシステムに備わるサーバ装置の要部構成を示すブロック図である。
【図１３】変形例３のクライアント・サーバシステムに備わるサーバ装置のＩＲブラスタを示す斜視図である。
【図１４】図１２のクライアント端末装置のＩＲブラスタ取付部を示す斜視図である。
【図１５】変形例３のクライアント・サーバシステムに備わるクライアント端末装置に対するＩＲブラスタの取付状態を示す側面図である。
【符号の説明】
【００６９】
１００    クライアント・サーバシステム
２        ビデオレコーダ（再生装置）
２１ａ    信号受信部（再生装置制御信号受信手段）
３、２０３、３０３  サーバ装置
３１５ａ  ＣＰＵ（送信手段制御手段、送信処理切替制御手段）
３２      ＩＲブラスタ（信号送信装置）
２００    筐体
３２１    信号送信部（制御信号送信手段、ペアリング情報送信手段、ペアリング解除情報送信手段）
３２２、３２２Ａ、３２２Ｂ  取付検知センサ
４、２０４、３０４  クライアント端末装置
４１      端末本体（装置本体）
４１１    信号受信部（ペアリング情報受信手段）
４１６ａ  ＣＰＵ（ペアリング処理実行手段）
４１７    ＩＲブラスタ取付部（信号送信装置取付部）
７１      係合部
Ｎ        無線ネットワーク（無線通信回線）
【図１】
2007324693.tif 000003
【図２】
2007324693.tif 000004
【図３】
2007324693.tif 000005
【図４】
2007324693.tif 000006
【図５】
2007324693.tif 000007
【図６】
2007324693.tif 000008
【図７】
2007324693.tif 000009
【図８】
2007324693.tif 000010
【図９】
2007324693.tif 000011
【図１０】
2007324693.tif 000012
【図１１】
2007324693.tif 000013
【図１２】
2007324693.tif 000014
【図１３】
2007324693.tif 000015
【図１４】
2007324693.tif 000016
【図１５】
2007324693.tif 000017